(57)【要約】      （修正有）【課題】皮膚に対する毛本体のクリーニング効率及びクリーニング効果を向上させる分岐毛及び分岐毛を備えるクリーニングブラシを提供する。【解決手段】分岐毛は、本体部と本体部の同一端に設けられる複数のクリーニング部とを有する毛本体１を備え、クリーニング部が本体部の一端の端面から突設されてなり、クリーニング部の外径が本体部の外径の二分の一未満であり、実際に使用される際に、クリーニング部の自由端をクリーニング対象となる皮膚に押し当てて、毛本体の特別な構造を通して、クリーニング部を用いて皮膚の毛穴における汚れを効率よくクリーニングする。分岐毛を備えるクリーニングブラシは、分岐毛を含み、握持ハンドル５を備え、握持ハンドル５は、グリップ６及びグリップ６に接続されるブラシヘッド７を備える。【選択図】図１
0003235490.tif 000002
【実用新案登録請求の範囲】
【請求項１】
分岐毛であって、本体部と本体部の同一端に設けられる複数のクリーニング部とを有する毛本体を備え、クリーニング部が本体部の一端の端面から突設されてなり、クリーニング部の外径が本体部の外径の二分の一未満であることを特徴とする分岐毛。
【請求項２】
前記本体部とクリーニング部は一体構造とされており、毛本体はシリコンゴムで製造されることを特徴とする請求項１に記載の分岐毛。
【請求項３】
複数の前記クリーニング部は本体部の中心軸線の周りに環状アレイ状にされていることを特徴とする請求項１に記載の分岐毛。
【請求項４】
前記クリーニング部は、先細り状であり、本体部に近い一端の外径が本体部から離れた一端の外径よりも大きいことを特徴とする請求項１に記載の分岐毛。
【請求項５】
本体部から離れた前記クリーニング部の一端の端面は、使用者の皮膚に押し当てるための半球球面であることを特徴とする請求項１に記載の分岐毛。
【請求項６】
本体部から離れた前記クリーニング部の一端の外径は０．１５−０．４ｍｍであることを特徴とする請求項１に記載の分岐毛。
【請求項７】
前記クリーニング部の長さは０．５−４ｍｍであることを特徴とする請求項１に記載の分岐毛。
【請求項８】
請求項１−７のいずれか１項に記載の分岐毛を備えたクリーニングブラシであって、握持ハンドル、握持ハンドルに設けられる駆動モータ、握持ハンドルに回動可能に設けられるディスク、及び握持ハンドルに可動に設けられる受け板をさらに備え、毛本体は複数あり、本体部が受け板に設けられ、駆動モータは、偏心機構を介して受け板が毛本体を振動させるように駆動することを特徴とする分岐毛を備えるクリーニングブラシ。
【請求項９】
前記握持ハンドルは、グリップ及びグリップに接続されるブラシヘッドを備え、駆動モータ、偏心機構、及び受け板はすべて握持ハンドルの内部に配置され、すべての毛本体はブラシヘッドに設けられ、毛本体の本体部がブラシヘッドの側壁を貫通しており、クリーニング部はブラシヘッドの外部に配置されることを特徴とする請求項８に記載の分岐毛を備えるクリーニングブラシ。
【請求項１０】
前記握持ハンドルの外側には、衝撃吸収用柔軟性スリーブが設けられていることを特徴とする請求項９に記載の分岐毛を備えるクリーニングブラシ。
【考案の詳細な説明】
【技術分野】
【０００１】
本考案は、クリーニングブラシの技術分野に関し、特に分岐毛及び分岐毛を備えるクリーニングブラシを開示している。
【背景技術】
【０００２】
ブラシは、よく使用されているクリーニングツールの１種であり、人々の日常生活では、ブラシを用いて使用者の皮膚をクリーニングする場合が多く、たとえば、ほとんどの女性の場合、顔部の皮膚をクリーニングするためのクリーニングブラシは日常生活に欠かせないものの１つとなりつつある。従来技術におけるクリーニングブラシでは、毛の構造の設計が合理的ではなく、皮膚の毛穴の汚れをクリーニングできない場合が多く、顧客のエクスペリエンスが不十分である。
【考案の概要】
【考案が解決しようとする課題】
【０００３】
従来技術に存在する欠点及び不備を解決するために、本考案は、毛本体の特別な構造を通して、クリーニング部を用いて皮膚の毛穴における汚れを効率よくクリーニングすることにより、皮膚に対する毛本体のクリーニング効率及びクリーニング効果を向上させる分岐毛、及び分岐毛を備えるクリーニングブラシを提供することを目的とする。
【課題を解決するための手段】
【０００４】
上記目的を達成させるために、本考案に係る分岐毛は、本体部と本体部の同一端に設けられる複数のクリーニング部とを有する毛本体を備え、クリーニング部が本体部の一端の端面から突設されてなり、クリーニング部の外径が本体部の外径の二分の一未満である。
【０００５】
好ましくは、前記本体部とクリーニング部は一体構造とされており、毛本体はシリコンゴムで製造される。
【０００６】
好ましくは、複数の前記クリーニング部は本体部の中心軸線の周りに環状アレイ状にされている。
【０００７】
好ましくは、前記クリーニング部は、先細り状であり、本体部に近い一端の外径が本体部から離れた一端の外径よりも大きい。
【０００８】
好ましくは、本体部から離れた前記クリーニング部の一端の端面は、使用者の皮膚に押し当てるための半球球面である。
【０００９】
好ましくは、本体部から離れた前記クリーニング部の一端の外径は０．１５−０．４ｍｍである。
【００１０】
好ましくは、前記クリーニング部の長さは０．５−４ｍｍである。
【００１１】
上記目的を達成させるために、本考案に係る分岐毛を備えるクリーニングブラシは、分岐毛を含み、握持ハンドル、握持ハンドルに設けられる駆動モータ、握持ハンドルに回動可能に設けられるディスク、及び握持ハンドルに可動に設けられる受け板をさらに備え、毛本体は複数あり、本体部が受け板に設けられ、駆動モータは、偏心機構を介して受け板が毛本体を振動させるように駆動する。
【００１２】
好ましくは、前記握持ハンドルは、グリップ及びグリップに接続されるブラシヘッドを備え、駆動モータ、偏心機構、及び受け板はすべて握持ハンドルの内部に配置され、すべての毛本体はブラシヘッドに設けられ、毛本体の本体部がブラシヘッドの側壁を貫通しており、クリーニング部はブラシヘッドの外部に配置される。
【００１３】
好ましくは、前記握持ハンドルの外側には、衝撃吸収用柔軟性スリーブが設けられている。
【考案の効果】
【００１４】
本考案の有益な効果は、以下のとおりである。実際に使用される際に、クリーニング部の自由端をクリーニング対象となる皮膚に押し当てて、毛本体の特別な構造を通して、クリーニング部を用いて皮膚の毛穴における汚れを効率よくクリーニングすることにより、皮膚に対する毛本体のクリーニング効率及びクリーニング効果を向上させる。
【図面の簡単な説明】
【００１５】
【図１】本考案の立体構造模式図である。
【図２】本考案の右面図である。
【図３】図１のＡ部の部分拡大構造模式図である。
【考案を実施するための形態】
【００１６】
当業者が容易に理解できるように、以下、実施例及び図面を参照しながら本考案をさらに説明するが、実施形態に記載の内容は本考案を限定するものではない。
【００１７】
図１〜図３に示されるように、本考案に係る分岐毛は、本体部２と本体部２の同一端に設けられる複数のクリーニング部３とを有する毛本体１を備え、クリーニング部３が本体部２の一端の端面から本体部２の長手方向に沿って突設されてなり、クリーニング部３の中心軸線と本体部２の中心軸線が互いに間隔を空けて且つ平行に設けられ、クリーニング部３の外径が本体部２の外径の二分の一未満である。
【００１８】
実際に使用される際に、クリーニング部３の自由端をクリーニング対象となる皮膚に押し当てて、毛本体１の特別な構造を通して、クリーニング部３を用いて皮膚の毛穴の汚れを効率よくクリーニングすることによって、皮膚に対する毛本体１のクリーニング効率及びクリーニング効果を向上させ、大寸法の本体部２を皮膚に直接押し当てる場合に比べて、クリーニング部３を皮膚に押し当てることで毛本体１と皮膚との接触面積を大幅に低減させ、皮膚の毛穴の汚れを徹底的に除去することが容易になり、これに加えて、クリーニング部３自体の強度が本体部２の強度より低いため、毛本体１による皮膚の刺し傷を回避する。
【００１９】
前記本体部２とクリーニング部３は一体構造とされており、実際に製造する際に、毛本体１は射出成形金型を用いて射出成形され、好ましくは、毛本体１はシリコンゴムで製造され、シリコンゴムの柔軟性を活用して、毛本体１による皮膚の刺し傷の発生確率を低下させ、顧客エクスペリエンスを向上させる。
【００２０】
複数の前記クリーニング部３は、本体部２の中心軸線の周りに環状アレイ状にされており、本実施例では、クリーニング部３の数は３つであり、複数のクリーニング部３のレイアウトを設計することにより、複数のクリーニング部３同士の衝突による干渉を防止する一方、皮膚の受ける複数のクリーニング部３からの力をほぼ均一にし、皮膚が部分的に力を受けることによる不快さを回避する。勿論、必要に応じて、１つの本体部２におけるクリーニング部３の数は２−１０個であってもよい。
【００２１】
前記クリーニング部３は先細り状であり、本実施例では、クリーニング部３はほぼ円錐状であるが、勿論、クリーニング部３は角錐状であってもよく、本体部２に近いクリーニング部３の一端の外径は本体部２から離れたクリーニング部３の一端の外径よりも大きい。クリーニング部３の特別な構造を設計することにより、クリーニング部３と本体部２との間の接続強度を確保して、クリーニング部３と本体部２との間の接続部の破断を防止する一方、皮膚に接触するクリーニング部３の面積を減少させ、クリーニング部３が皮膚の毛穴の汚れを容易に除去できるようにする。
【００２２】
本体部２から離れた前記クリーニング部３の一端の端面は、使用者の皮膚に押し当てるための半球球面４であり、先細り状のクリーニング部３が皮膚に接触する場合に比べて、半球球面４にすることにより、クリーニング部３の外径寸法を確保し、クリーニング部３と皮膚との間の接触面積を補助的に増大し、クリーニング部３による皮膚の刺し傷の発生確率を減少させる。
【００２３】
本体部２から離れた前記クリーニング部３の一端の外径は０．１５−０．４ｍｍであり、実際に使用する際に、本体部２から離れたクリーニング部３の一端は皮膚に押し当てられ、本体部２から離れたクリーニング部３の一端の外径寸法の設定により、本体部２から離れたクリーニング部３の一端の外径寸法が皮膚の毛穴の孔径に適合するようにし、皮膚の毛穴の汚れに対するクリーニング部３のクリーニング効果を向上させる。
【００２４】
前記クリーニング部３の長さは０．５−４ｍｍであり、クリーニング部３の長さが０．５ｍｍ未満である場合、本体部２は、皮膚にタッチしてクリーニング部３によるクリーニングの邪魔となることが発生しやすく、クリーニング部３の長さが４ｍｍより大きい場合、クリーニング部３は、低強度のために屈曲して自由端が皮膚に押し当てられなくなり、この場合、クリーニング部３のクリーニング効果も顕著に低下する。
【００２５】
本考案に係る分岐毛を備えるクリーニングブラシは、分岐毛を含み、握持ハンドル５、握持ハンドル５に設けられる駆動モータ、握持ハンドル５に回動可能に設けられるディスク、及び握持ハンドル５に可動に設けられる受け板をさらに備え、毛本体１は複数あり、複数の毛本体１の中心軸線が平行に設けられ、毛本体１の本体部２は受け板の同一側に設けられ、駆動モータは偏心機構を介して受け板が毛本体１を振動させるように駆動する。
【００２６】
実際に使用される際に、使用者は、握持ハンドル５を手で把持して、毛本体１のクリーニング部３の自由端を皮膚に押し当て、次に、駆動モータを起動させ、駆動モータは、偏心機構を通して受け板が毛本体１を振動させるように駆動し、振動している毛本体１の振動により皮膚を自動的にクリーニングし、使用者が握持ハンドル５を把持して皮膚を手動でクリーニングする必要がなく、皮膚に対するクリーニング効率を向上させる。
【００２７】
前記握持ハンドル５は、グリップ６及びグリップ６に接続されるブラシヘッド７を備え、駆動モータ、偏心機構、及び受け板はすべて握持ハンドル５の内部に配置され、握持ハンドル５で駆動モータ、偏心機構、及び受け板を保護し、駆動モータ、偏心機構、及び受け板が外部の物品と衝突して破損することを防止し、すべての毛本体１はブラシヘッド７に設けられており、毛本体１の本体部２はブラシヘッド７の側壁を貫通しており、クリーニング部３はブラシヘッド７の外部に配置される。実際に使用される際に、使用者は、グリップ６を手で握持して、ブラシヘッド７における毛本体１のクリーニング部３の自由端を皮膚に押し当てる。
【００２８】
前記握持ハンドル５のグリップ６の外側には、衝撃吸収用柔軟性スリーブ（図示せず）が設けられており、偏心機構を介して受け板が毛本体１を振動させるように駆動するとき、衝撃吸収用柔軟性スリーブは、握持ハンドル５と使用者の手との間の衝撃力を吸収して、握持ハンドル５による使用者の手への衝撃を低減させ、顧客エクスペリエンスを向上させる。
【００２９】
以上は、本考案の好適実施例に過ぎず、当業者であれば、本考案の構想に基づいて具体的な実施形態及び適用範囲を変化することができ、本明細書の内容は本考案を制限するものとして理解すべきではない。
【符号の説明】
【００３０】
１−毛本体
２−本体部
３−クリーニング部
４−半球球面
５−握持ハンドル
６−グリップ
７−ブラシヘッド。
【図１】
0003235490.tif 000003
【図２】
0003235490.tif 000004
【図３】
0003235490.tif 000005